【事件の表示】
　特許第３３６５５０４号「遊技機」の請求項１に係る特許に対する特許異議の申立てについて、次のとおり決定する。
【結　論】
　訂正を認める。
　特許第３３６５５０４号の請求項１に係る特許を取り消す。
【理　由】
１．手続の経緯
　本件特許第３３６５５０４号についての特許出願は、平成２年１２月１５日の特許出願（特願平２−４１０８１５号）（以下、「原々出願」という。）の一部を、平成１１年３月２３日に新たな特許出願（特願平１１−７７２７１号）（以下、「原出願」という。）とし、更にその一部を、平成１２年１０月１９日に特許法第４４条第１項の規定による新たな特許出願として出願したものであり、平成１４年１１月１日にその発明について特許の設定登録がされたものであって、その後、株式会社三共、美濃敬二、及び、市川純より、それぞれ特許異議の申立てがなされ、平成１６年３月３日付けで取消しの理由が通知され、その指定期間内である平成１６年５月１１日付けで意見書とともに訂正請求書が提出され、平成１６年７月２１日付けで再度取消しの理由が通知され、その指定期間内である平成１６年９月２８日に意見書が提出されたものである。
　
２．訂正の適否についての判断
２−１．訂正の内容
（１）訂正事項ａ
　特許明細書の特許請求の範囲の請求項１の
「遊技動作を制御する制御回路基板を内部に収納する収納ケースを備えた遊技機において、
　前記制御回路基板のハンダ面を前記収納ケースの合成樹脂製の透明板から透視し得るようにしたことを特徴とする遊技機。」を、
「遊技動作を制御する制御回路基板を内部に収納する収納ケースを備えた遊技機において、
　
前記収納ケースは、前記制御回路基板のハンダ面に対向する位置に合成樹脂製の透明板を備え、
のほぼ全域を前記
（２）訂正事項ｂ
　特許明細書の段落【０００３】を、
「【発明が解決しようとする課題】
　しかして、上記した収納ケースにおいては、制御回路基板に設けられるＲＯＭを不正に交換したり、あるいは、外部からジャンパー線を制御回路基板に接続して不正な
信号を入力させる
（３）訂正事項ｃ
　特許明細書の段落【０００４】を、
「【課題を解決するための手段】
　上記した目的を達成するために、請求項１記載の発明においては、
　遊技動作を制御する制御回路基板を内部に収納する収納ケースを備えた遊技機において、
　
前記収納ケースは、前記制御回路基板のハンダ面に対向する位置に合成樹脂製の透明板を備え、
のほぼ全域を前記
（４）訂正事項ｄ
　特許明細書の段落【０００５】を、
「【作用】
　請求項１記載の発明においては、制御回路基板のハンダ面
ほぼ全域
に備えられかつ前記ハンダ面に対向する位置に配置された
（５）訂正事項ｅ
　特許明細書の段落【００１４】を、
「なお、図示の実施形態では、背面空間５０を切欠開口２９と透明板３２といずれを介しても見ることができるようになっているが、いずれか一方があれば良い。即ち、切欠開口２９が形成されている場合には、開口２４を形成する必要がなく、したがって透明板３２も必要がない。また、開口２４を形成して透明板３２
で閉塞
（６）訂正事項ｆ
　特許明細書の段落【００２０】を、
「以上、実施形態に係る収納ケース２０の構成について説明してきたが、この収納ケース２０においては、制御回路基板２２の電子部品３７が実装される部品面３６とその反対側のハンダ面３８に対面する収納ケース２０の表板部４１と底板部２５とに、制御回路基板２２のほぼ全域を透視し得る大きさの開口４０、２４を開設すると共に、該開口４０、２４を透明板４７、３２で閉塞しているので、透明板４７、３２を介して制御回路基板２２の部品面３６とハンダ面３８とを見ることができ、このため、部品面３６に実装される電子部品３７が規定されたものと異なるか否かを容易に発見でき、また、ハンダ面３８に
ジャンパー線
ジャンパー線
（７）訂正事項ｇ
　特許明細書の段落【００２１】を、
「【発明の効果】
　以上、説明したところから明らかなように、本発明においては、制御回路基板のハンダ面
ほぼ全域
に備えられかつ前記ハンダ面に対向する位置に配置された
ジャンパー線
　
２−２．訂正の目的の適否、新規事項の有無及び拡張・変更の存否
（１）訂正事項ａについて
　上記訂正事項ａは、請求項１において、「合成樹脂製の透明板」を収納ケースの「
制御回路基板のハンダ面に対向する位置
のほぼ全域
（２）訂正事項ｂ乃至ｇについて
　上記訂正事項ｂは、「信号が入力される」を「信号を入力させる」と、上記訂正事項ｄ，ｆ及びｇは、「ジャンッパー線」を「ジャンパー線」と、上記訂正事項ｅは、「透明板３２でへ閉塞」を「透明板３２で閉塞」と誤記を訂正するものである。
　また、上記訂正事項ｃ，ｄ及びｇ（上記誤記訂正箇所除く）は、上記訂正事項ａと整合を図るものであるから、明りょうでない記載の釈明を目的とした明細書の訂正に該当し、新規事項の追加に該当せず、実質上特許請求の範囲を拡張し、又は変更するものではない。
　
２−３．むすび
　したがって、上記訂正は、特許法第１２０条の４第２項及び同条第３項において準用する特許法第１２６条第２項から第４項までの規定に適合するので、当該訂正を認める。
　
３．特許異議の申立てについて
３−１．本件発明
　本件特許第３３６５５０４号の請求項１に係る発明（以下、「本件発明」という）は、上記訂正に係る訂正明細書の特許請求の範囲の請求項１に記載された次のとおりのものである。
　
【請求項１】　遊技動作を制御する制御回路基板を内部に収納する収納ケースを備えた遊技機において、
　前記収納ケースは、前記制御回路基板のハンダ面に対向する位置に合成樹脂製の透明板を備え、
　前記制御回路基板のハンダ面のほぼ全域を前記透明板から透視し得るようにしたことを特徴とする遊技機。
　
３−２．平成１６年７月２１日付けの取消理由の概要
　当審は、平成１６年７月２１日付けで通知した取消理由通知で、本件発明は、特開平４−２１５７８１号公報に記載された発明であるとともに、下記の引用例１乃至１１に記載された発明から当業者が容易に発明することができたものであるから、本件発明についての特許は、特許法第２９条第１項第３号及び第２９条第２項の規定に違反してされたものである旨通知した。
　
　引用例１：実願昭６２−１４０１４号（実開昭６３−１２２４６９号）のマイクロフィルム
　引用例２：特開平２−１４２５８０号公報
　引用例３：実願昭５８−５５６４２号（実開昭５９−１６１６７７号）のマイクロフィルム
　引用例４：実願昭６０−１４７８３０号（実開昭６２−５７２８０号）のマイクロフィルム
　引用例５：実願昭５５−１８０９７５号（実開昭５７−１０３７８５号）のマイクロフィルム
　引用例６：実願昭６２−１７７１７７号（実開平１−８０９９８号）のマイクロフィルム
　引用例７：特開昭６４−１７６７７号公報
　引用例８：特開平２−４５０７９号公報
　引用例９：特開平１−２８４２７９号公報
　引用例１０：特開平２−２４９５７２号公報
　引用例１１：実願昭６１−１９８２５７号（実開昭６３−１０２４８４号）のマイクロフィルム
　
３−３．特許法第２９条第１項第３号違反について
　本件発明の「収納ケースは、制御回路基板のハンダ面に対向する位置に合成樹脂製の透明板を備え、前記制御回路基板のハンダ面のほぼ全域を前記透明板から透視し得るようにした」という構成は、「透明板」の具体的構成が限定されていないため、その構成は任意であり、特許明細書中に記載されているような収納ケース２１の底板部２５に開設された開口２４を透明板３２が閉塞するように設けられている構成だけを意味するとは認められず、本件発明の構成は、収納ケース自体が透明であったり、透明板が設けられるための開口を収納ケースが有しない構成をも含むものと解される。
　しかしながら、当該収納ケース自体が透明であったり、透明板が設けられるための開口を収納ケースが有しない構成は、原出願の出願当初の明細書又は図面に記載も示唆もされておらず、また、当業者にとって自明な事項であるとも認められない。
　したがって、本件発明は、原出願の出願当初の明細書又は図面に記載した事項の範囲内でないものを含むものであり、本件出願は適法な分割出願ではないから、本件の出願日は現実の出願日である平成１２年１０月１９日であると認められる。
　そして、本件発明は、本件出願前に頒布された特開平４−２１５７８１号公報（原々出願の公開公報）に記載された発明であり、特許法第２９条第１項第３号に規定する発明に該当するので、本件発明の特許は取り消されるべきものである。
　
３−４．特許法第２９条第２項違反について
３−４−１．引用例に記載された発明
（１）引用例１
　引用例１［実願昭６２−１４０１４号（実開昭６３−１２２４６９号）のマイクロフィルム］には、パチンコ遊技機に関し、
(1-1)　第３頁第１６−１９行に「また、従来のパチンコ遊技機の電子部品を収納するケースは、遊技球の転動により生ずる静電気から電子部品を守るため、導電性を有する樹脂等で作られていた。」と、
(1-2)　第６頁第９−２０行に「第１図は本考案の１実施例であるパチンコ遊技機の制御部の拡大斜視図である。第１図において、制御部３は後述する封印紙が貼られたＣＰＵやＲＯＭ等の電子部品と、その電子部品が配置されているプリント基板１０と、電子部品やプリント基板を収納する上部蓋１１ａと底板１１ｂとを有するケース１１とを含む。１２はケース１１内部のプリント基板１０に配置されたＣＰＵやＲＯＭ等に貼られた封印紙の異状の有無や封印番号を検査するために上部蓋１１ａに設けられた透明な観察窓である。１３は制御部３のケース１０を封印する封印紙である。」と、
(1-3)　第８頁第４−１１行に「このような遊技内容の不正改造が行われた場合、制御部３の上部蓋１１ａを取り外さなくても、すなわちケース１１に貼られた封印紙１３を破ることなく、観察窓１２から内部を覗くことによって、ＣＰＵ２１等に貼られた封印紙２５ａ・２５ｂ・２５ｃの異状の有無や封印番号を簡単に検査することができる。」と、
(1-4)　第８頁第１７行−第９頁第７行に「尚、上記の本実施例では、上部蓋の一部にやや大きめの観察窓を設けたが、本考案はこれに限定されるものではなく、たとえば、封印を施した電子部品のみを検査することができるような小さなものでもよいし、反対に、上部蓋の上面全部を観察窓としたり、上部蓋全体を観察窓としてもよい。また、観察窓として使用する材質は、静電子を帯びない材質で、且つ透明な材質たとえば金属の粉を混ぜた導線性のある樹脂等が好ましい。勿論、小さめの観察窓であれば、観察窓を開口状態にしておいてもよい。」と、
　図面とともに記載されている。
　
　そうすると、引用例１には、
「制御部３を構成するプリント基板１０を内部に収納するケース１１を備えたパチンコ遊技機において、
　前記ケース１１は、その上部蓋１１ａに透明な観察窓１２を設け、
　前記プリント基板１０に配設されたＣＰＵやＲＯＭ等に貼られた封印紙の異状の有無や封印番号を検査し得るようにしたパチンコ遊技機」との発明（以下、「引用発明」という。）が記載されているものと認められる。
　
（２）引用例３
　引用例３［実願昭５８−５５６４２号（実開昭５９−１６１６７７号）のマイクロフィルム］には、
(2-1)　第４頁第１０−１３行に「第４図において、１は電装品２をとりつけたプリント基板で、プリント基板１は電装品２を合成樹脂製の収納箱３の左壁面４側に向けた方向で溝７、８に挿入される。」と、
(2-2)　第５頁第７−１１行に「また収納箱３の右側面には大きな開口１３を設けており、プリント基板１を収納箱３に収納した状態でもプリント基板１の裏面であるパターン面１４が収納箱の外へ露出するので収納状態でのプリント基板１の回路の検査が可能となる。」と、
(2-3)　第５頁第１９頁−第６頁第７行に「以上のように本考案の電装品収納装置は部品点数,加工工数の増加をみることなく、空気調和機などの機器の本体にプリント基板を収納した状態にてプリント基板の裏面を直接見ることができ、保守,点検作業がきわめて良好となり従来と同様の必要スペースと収納の簡易性を保った上で、さらに製品輸送時のプリント基板の脱落に対する信頼性も飛躍的に向上できるなど、優れた効果を奏するものである。」と、
　図面とともに記載されている。
　
（３）引用例４
　引用例４［実願昭６０−１４７８３０号（実開昭６２−５７２８０号）のマイクロフィルム］には、
(3-1)　第３頁第２−８行に「この考案は上述した事情に鑑みてなされたもので、その目的とするところは、保管及び携帯に便利で、プリント基板にほこりや手垢が付着することもなく、破損も防止でき、さらにプリント基板の表面や裏面の観察を容易にでき、各電子部品の名称や機能のわかり易い電子学習機を提供することにある。」と、
(3-2)　第３頁第１６行−第４頁第４行に「第１図は電子学習機を示すもので、この電子学習機は周辺回路部２１とCPU回路部２２に分離され、夫々が互に折り畳み開閉可能なように連結されたものであり、図中１，１は透明ケースであり、この透明ケース１は、ほぼ正方形状の透明の基板の３つの辺部に塀状の側板が立設形成されたもので、透明合成樹脂よりなっている。」と、
(3-3)　第５頁第３−１５行に「このプリント基板５の表面には、１６進データ及びコマンド入力用のキーボード７、液晶表示素子８、ＬＳＩ９、コネクタ接続部１０、ＬＳＩ用ソケット１１等の多数の電子部品が半田付されて取り付けられており、各電子部品はプリント基板５上に形成されたプリント配線により電気的に接続されている。ＬＳＩ用ソケット１１にはプログラムの記憶されたＲＯＭよりなるＬＳＩ９が着脱可能となっており、上記ＣＰＵを駆動するためのプログラムが種々切り換えられるようになっている。またこのプリント基板５の裏面には、第２図に示すように、表面に取り付けられた電子部品の名称が記載されている。」と、
(3-4)　第７頁第１７行−第８頁第４行に 「この場合、ケースは透明であるから、学習するにあたって、ケースに各電子部品がかくれて見えないといったことがなく、各電子部品の機能をよく学習することができ、第２図に示すようにプリント基板５を裏から見ることができるので、周辺回路部２１とＣＰＵ回路部２２とを閉じた時でも各電子部品の名称を知ることができる。」と、
　図面とともに記載されている。
　
（４）引用例５
　引用例５［実願昭５５−１８０９７５号（実開昭５７−１０３７８５号）のマイクロフィルム］には、
(4-1)　第４頁第１６行−第５頁第４行に「この電気的制御装置２０は、第３図で明らかなように前面枠２への取付ベース板２１と、この取付ベース板２１上の段付ビス２２に止ねじ２３を介して着脱可能に取付けた制御基板２４、および制御基板２４を覆うカバー２５からなっており、制御基板２４には、ＩＣ、ＬＳＩ、ＲＯＭ、ＲＡＭ等のチップやデバイス、コンデンサ、抵抗、トランジスタ等の制御判定要素２６が多数機能的に結合されて配設されている。」と、
(4-2)　第３図には、制御基板２７（「２４」の誤記と認められる。）のハンダ面に対向する取付ベース板２１に開口が設けられていることが、
　それぞれ記載されている。
　
（５）引用例６
　引用例６［実願昭６２−１７７１７７号（実開平１−８０９９８号）のマイクロフィルム］には、
(5-1)　第３頁第１８行−第４頁第７行に「電子回路基板用シールドケース８は、横断面略コ字状をなし、基板１を覆うように取付けてある。シールドケース８の断面の層構成は、第２図及び第３図に示す如くアクリル、塩化ビニール等で形成した有機材１０，１２と、ステンレス等の金属ベース又はポリエステル等の有機ベースの材料に導体メッキを施して形成した金属メッシュ１１とを積層してなる。」と、
(5-2)　第４頁第１７行−第５頁第７行に「上述した層構成において、金属メッシュ１１と有機材１０，１２の組合せは透過性を有することから、シールドケース８に覆われた基板１の表示ランプ７の点滅状態を認識することは可能である。更に有機材１０，１２のスモークドされる度合いを変えることによりシールドケース８の透過度を自由に変えることができ、この結果用途に合せて部分的透明及び不透明を作出すことができる。」と、
　図面とともに記載されている。
　
　なお、本件出願が仮に適法な分割出願であるとしても、引用例１乃至６は、原々出願の出願前に頒布されたものである。
　
３−４−２．対比・検討
（１）本件発明と引用発明との対比
　引用発明の「制御部３を構成するプリント基板１０」「ケース１１」「パチンコ遊技機」は、それぞれ本件発明の「遊技動作制御する制御回路基板」「収納ケース」「遊技機」に相当する。
　また、引用発明の「ケース１１は、その上部蓋１１ａに透明な観察窓を設け、プリント基板１０に配設されたＣＰＵやＲＯＭ等に貼られた封印紙の異状の有無や封印番号を検査し得るようにした」ことと、本件発明の「収納ケースは、制御回路基板のハンダ面に対向する位置に合成樹脂製の透明板を備え、前記制御回路基板のハンダ面のほぼ全域を前記透明板から透視し得るようにした」こととは、「収納ケースは、透明板を備え、制御回路基板を前記透明板から透視し得るようにした」ことで共通する。
　そうすると、本件発明と引用発明の両者は、「遊技動作制御する制御回路基板を内部に収納する収納ケースを備えた遊技機において、前記収納ケースは、透明板を備え、前記制御回路基板を前記透明板から透視し得るようにした遊技機」で一致し、以下の点で相違する。
　
・相違点
　透明板が、本件発明では、合成樹脂製であり、ハンダ面に対向する位置に備えられ、ハンダ面のほぼ全域を透視得るようにしているのに対し、引用発明では、合成樹脂製か否か不明であり、ケースの上部蓋に備えられ、プリント基板１０に配設されたＣＰＵやＲＯＭ等に貼られた封印紙の異状の有無や封印番号を検査し得るようにしている点。
　
（２）本件発明と引用発明との相違点についての検討
　透明板を合成樹脂製とすること、特にケース等の収納容器の透明部分を合成樹脂製とすることは常套手段であり、引用発明の透明板を合成樹脂とすることは当業者にとって格別困難なことではない。
　また、一般的に、基板を内部に収納するケースが、基板のハンダ面に対向する位置に開口を有していたり、ケース自体を透明にするなどして、ハンダ面のほぼ全域が透視可能な状態となっていることは、引用例３乃至６等に記載されているように周知技術であり、特に引用例３にはプリント基板の裏面、すなわち、ハンダ面の点検を目的としていることが明示されている。
　そして、引用発明は、プリント基板１０に配設されたＣＰＵやＲＯＭ等に不正行為がなされた際のＣＰＵやＲＯＭ等に貼られた封印紙の異常を発見するため、収納ケースの表面側に、すなわち、不正行為の対象となる箇所に対応して、透明な観察窓を設けているのである。
　してみると、何らかの不正行為が存在し得る場合、当該行為を発見するために不正行為の対象となり得る箇所を視認し得るようにしておくことは当然考慮されるべき事項であるから、引用発明において、ハンダ面にジャンパー線が接続されるという不正行為の恐れがある際には、その対策として、ハンダ面のほぼ全域をケース外から透視し得るようにするために、ハンダ面に対向する位置に透明板を備えることは、前記周知技術からして当業者であれば適宜なし得た程度の単なる設計的事項にすぎないものというべきである。
　
　そして、本件発明に係る作用効果は、引用発明及び周知技術に基づいて、当業者が予測し得るものである。
　したがって、本件発明は、引用発明及び周知技術に基づいて当業者が容易に発明をすることができたものである。
　よって、本件発明の特許は、特許法第２９条第２項の規定に違反してされたものである。
　
４．むすび
　以上のとおりであるから、本件発明についての特許は、特許法第２９条第１項第３号あるいは第２項の規定に違反してされたものである。
　したがって、本件発明についての特許は、特許法第１１３条第２号に該当し、取り消されるべきものである。
　よって、結論のとおり決定する。
【異議決定日】
平成１６年１１月５日（２００４．１１．５）
【訂正の要旨】
審決（決定）の【理由】欄参照。
（５４）【発明の名称】
遊技機
（５７）【特許請求の範囲】
　【請求項１】　遊技動作を制御する制御回路基板を内部に収納する収納ケースを備えた遊技機において、
　
前記収納ケースは、前記制御回路基板のハンダ面に対向する位置に合成樹脂製の透明板を備え、
　前記制御回路基板のハンダ面
のほぼ全域を前記
【発明の詳細な説明】
　【０００１】
　【発明の属する技術分野】
　本発明は、遊技動作を制御する制御回路基板を内部に収納する収納ケースを備えた遊技機に関するものである。
　【０００２】
　【従来の技術】
　周知のように、パチンコ機等の遊技機は、近年ますます人気を博し、特に遊技盤面に配設された大型の入賞装置や各種の表示ランプ、音声発生装置等の遊技動作の複雑なものが好まれている。このような遊技動作の複雑なパチンコ機は、マイクロコンピュータ等の電子的な制御回路により、その遊技動作が制御されており、そのためパチンコ機の背面には、制御回路基板を収納した収納ケースが取り付けられている。
　【０００３】
　【発明が解決しようとする課題】
　しかして、上記した収納ケースにおいては、制御回路基板に設けられるＲＯＭを不正に交換したり、あるいは、外部からジャンパー線を制御回路基板に接続して不正な
信号を入力させる
　【０００４】
　【課題を解決するための手段】
　上記した目的を達成するために、請求項１記載の発明においては、
　遊技動作を制御する制御回路基板を内部に収納する収納ケースを備えた遊技機において、
　
前記収納ケースは、前記制御回路基板のハンダ面に対向する位置に合成樹脂製の透明板を備え、
　前記制御回路基板のハンダ面
のほぼ全域を前記
　【０００５】
　【作用】
　請求項１記載の発明においては、制御回路基板のハンダ面
ほぼ全域
に備えられかつ前記ハンダ面に対向する位置に配置された
ジャンパー線
　【０００６】
　【発明の実施の形態】
　以下、図面を参照して、本発明の実施形態について説明する。まず、実施形態に係る収納ケース２０が適用される遊技機の遊技盤１の構成について図５を参照して説明する。図５は、遊技盤１の背面図である。図において、ほぼ正方形状に形成される遊技盤１の背面には、遊技盤１の主要部域を覆う入賞玉集合カバー２が集合カバー固定部材４によって着脱自在に取り付けられている。また、入賞玉集合カバー２のほぼ中央には、遊技盤１の中央に設けられるセンター入賞装置（図示しない）の後方を覆う入賞装置カバー３が取着されると共に、該入賞装置カバー３の側方に本実施形態の要部を構成する収納ケース２０が配置されている。前記入賞装置カバー３は、一般的にセンター入賞装置が遊技盤１の後方に大きく突出して設けられるため、その突出した部分を覆うように後方に大きく膨らんで形成されている。また、遊技盤１の上部中央には、遊技盤１に設けられるスイッチや表示ランプ、あるいはソレノイド等の電気部品の配線を一旦接続する中継端子板５が固着されている。そして、中継端子板５からは、収納ケース２０に収納される後述する制御回路基板２２に配線が接続され、これによって前記電気部品と制御回路基板２２とを電気的に接続してそれらを制御するようになっている。
　【０００７】
　ところで、前記入賞玉集合カバー２には、図４に示すように、ほぼ正方形状の窓開口６が開設され、該窓開口６の裏面周縁に補強リブ７が立設されている。窓開口６は、前記したセンター入賞装置を後方に貫通させるために開設されたものであり、そのほとんどが前記入賞装置カバー３によって被覆されている。このため、窓開口６の外側偶角部には、入賞装置カバー３をビス（図示しない）で止着するためのカバー取付ボス８が植設されている。更に、入賞玉集合カバー２の裏面には、前記窓開口６の一側部に補強リブが立設され、該補強リブに基板ケース取付ボス９が形成されている。この基板ケース取付ボス９は、収納ケース２０を開閉自在に支持する支持部材１０を止着するものである。即ち、収納ケース２０は、その一側側片に固着される固定部材１１の上下に形成される支軸１２を支持部材１０の軸受部に挿入することにより、回転自在に支持されるようになっている。そして、収納ケース２０の上下に形成される後述する固定片３１と支持部材１０の上下に形成される係止部材１４とを係止させることにより、収納ケース２０を入賞玉集合カバー２に支持するようになっている。また、遊技盤の交換に伴って制御回路基板２２を交換する際には、係止部材４１による係止状態を解除した後、収納ケース２０を入賞装置カバー３方向へ回動して上方に持ち上げることにより、支軸１２を軸受部から外して簡単に交換することができる。なお、入賞装置カバー３の収納ケース２０側の側面は、収納ケース２０をほぼ直角方向まで回動できるように切り欠けられた切欠部１３となっている。
　【０００８】
　上記のように遊技盤１の背面に取りつけられる収納ケース２０の構成について図１乃至図３を参照して以下説明する。図１は、収納ケース２０を垂直方向に切断した断面図であり、図２は、収納ケース２０を水平方向に切断した断面図であり、図３は、収納ケース２０の分解斜視図である。図において、収納ケース２０は、制御回路基板２２を固定する固定ケース２１と、該固定ケース２１を被覆するカバーケース２３とからなる。固定ケース２１及びカバーケース２３は、共に導電性の材料である鋼製の板材をプレス加工することによって形成されている。そこで、以下、それぞれの構成について詳細に説明する。
　【０００９】
　まず、固定ケース２１は、図３に示すように、ほぼ長方形に形成された平板状の底板部２５の周縁から下方を除く三方に側板部２６が立設され、底板部２５に長方形状の開口２４が開設されている。この開口２４は、制御回路基板２２の後述するハンダ面３８のほぼ全域を透視できる程度の大きさに形成されるが、カバーケース２３に開設される後述する開口４０の大きさよりも小さく形成される。これは、後に詳述するように、ハンダ面３８にジャンパー線が接続されているか否かが判断できれば良く、この意味でそれほど大きな開口を必要としないからである。
　【００１０】
　前記側板部２６の適宜箇所の上縁には、係合片部２７が延設されている。この係合片部２７は、カバーケース２３の側板部４２と重合する部分であり、その重合する部分をビスで共締めすることにより固定ケース２１とカバーケース２３とを一体的に形成するようになっている。なお、係合片部２７は、図１及び図２に示すように、カバーケース２３の肉厚分だけ内側となるように形成されているので、カバーケース２３を重合させた状態で固定ケース２１の側板部２６とカバーケース２３の側板部４２とが同一平面となり、その接続部分に封印紙（図示しない）を貼付するようになっている。また、左右の側板部２６には、後述する電子部品３７から発生する熱を外に逃がす熱逃し穴２８が形成されている。この熱逃し穴２８は、制御回路基板２２を固定ケース２１に取着した際に、後述する部品面３６よりも上方となる位置（後述する表面空間５１に対応する部分）に形成されている。これは、制御回路基板２２から発せられる熱は、部品面３６に設けられる電子部品３７からのものが大部分であり、ハンダ面３８側からの発熱がほとんどないからである。
　【００１１】
　また、底板部２５と左右の側板部２６との折曲部分、即ち、収納ケース２０の基部となる周縁には、複数の切欠開口２９が形成されている。この切欠開口２９は、図２に示すように、制御回路基板２２のハンダ面３８と底板部２５とで形成される背面空間５０を側方から透視するものであり、ハンダ面３８に接続されて垂れ下がっているジャンパー線を見つけることを目的とするものである。したがって、切欠開口２９の切欠位置、大きさ、数等は、背面空間５０の全域を透視できれば、どのように設けても良いが、収納ケース２０の強度を計算に入れて設計することが望ましい。
　【００１２】
　また、固定ケース２１の底板部２５には、その偶角部に制御回路基板２２をビス３９で止着するための基板固定ピン３０が突設されている。この基板固定ピン３０は、底板部２５を貫通するようにかしめられており、制御回路基板２２を止着した状態でハンダ面３８と底板部２５との間に背面空間５０を形成し、部品面３６とカバーケース２３の表板部４１との間に表面空間５１を形成するようになっている。また、底板部２５の上下には、前記したように収納ケース２０を固定する係止部材１４と係止させるための固定片３１が延設されている。
　【００１３】
　更に、底板部２５に開設された開口２４の内側には、合成樹脂製の透明板３２が開口２４を閉塞するように設けられている。そして、透明板３２の制御回路基板２２に対面する側には、制御回路基板２２のハンダ面３８に固着される連結部材３４（図１、図２参照）の先端が挿入される連結凹部３３が複数形成されている。この連結部材３４も透明な材料で形成されることが望ましい。しかして、前記制御回路基板２２を基板固定ピン３０にビス３９で止着したときには、透明板３２が自動的に開口２４を閉塞するようになっている。そして、透明板３２を介して制御回路基板２２のハンダ面３８を透視することができるので、ハンダ面３８にジャンパー線が接続されている場合には、容易に発見することができる。また、透明板３２を開口２４の内側から閉塞するようにしたのは、以下の理由による。即ち、透明板３２を開口２４の外側から閉塞した場合には、透明板３２を破壊してハンダ面３８にジャンパー線を接続する不正行為をした後、透明板３２と同じように形成した透明板を開口２４を閉塞するように取り付けるという不正行為を行うことができるが、透明板３２を内側から閉塞することにより、透明板３２を破壊して遊技場において不正行為をしても再度透明板３２を内側から閉塞することができず、容易に不正行為を発見することができるからである。
　【００１４】
　なお、図示の実施形態では、背面空間５０を切欠開口２９と透明板３２といずれを介しても見ることができるようになっているが、いずれか一方があれば良い。即ち、切欠開口２９が形成されている場合には、開口２４を形成する必要がなく、したがって透明板３２も必要がない。また、開口２４を形成して透明板３２
で閉塞
　【００１５】
　一方、底板部２５の開口２４の外側には、導電性板部材３５がビスによって着脱自在に取り付けられている。この場合、導電性板部材３５としては、開口２４よりも大きく形成されるカバーケース２３の開口４０を形成するために打ち抜いた鋼板をそのまま使用することができる。このため、特別に導電性板部材を加工して用意する必要がないという利点がある。このように開口２４の外側を導電性板部材３５で覆うようにした理由は、以下のとおりである。即ち、収納ケース２０の底板部２５は、前記したように入賞玉集合カバー２に対面する位置であり、このため、入賞玉集合カバー２の内側を流下する入賞玉等の滞電物質の影響により静電気が入賞玉集合カバー２に滞電し、その滞電した静電気が放電するときに発生するノイズによって制御回路基板２２の制御回路が誤動作を起こす虞がある。しかして、底板部２５の開口２４を合成樹脂製の透明板３２で被覆したままの状態であると、ノイズの影響をまともに受ける可能性が高く、収納ケース２０のシールド効果が極めて低下した状態となる。これを防止するために、導電性板部材３５で開口２４を閉塞することにより収納ケース２０のシールド効果を向上させるようにしている。なお、導電性板部材３５として、上記した開口４０を形成するために打ち抜いた鋼板を使用するのではなく、例えば、導電シートを底板部２５又は透明板３２に貼付又は取り付けたものでも良いし、非導電性材料に導電性塗料を塗布したものでも良い。
　【００１６】
　ただし、導電性板部材３５で開口２４の外側を被覆すると、制御回路基板２２のハンダ面３８を透明板３２を介して透視することができないので、ハンダ面３８を透視する場合には、導電性板部材３５を止着しているビスを弛めて導電性板部材３５を取りはずせばよい。なお、導電性板部材３５は、開口２４の外側に着脱自在に配置されておれば良く、ビスでなく導電性板部材３５を係止する係止部材を底板部２５の裏側面に形成しても良い。あるいは、収納ケース２０を支持する前記支持部材１０に導電性板部材３５を固定しておき、収納ケース２０を閉じて係止部材１４で係止したときに開口２４が導電性部材３５で閉塞されるように構成されていても良い。
　【００１７】
　以上説明した固定ケース２１を覆うカバーケース２３においても、図３に示すように、ほぼ長方形に形成された平板状の表板部４１の周縁から側板部４２が後方に向かって立設され、表板部４１に長方形状の開口４０が開設されている。この開口４０は、制御回路基板２２の後述する部品面３６のほぼ全域を透視できる程度の大きさに形成される。これは、部品面３６に実装される電子部品３７が規定されたものと異なるか否かを判断するためであり、前記開口２４よりも大きく形成されている。また、側板部４２の適宜箇所には、位置決め片部４３が延設され、前記固定ケース２１に形成された位置決め箇所と係合して固定ケース２１とカバーケース２３との正確な位置を決定している。なお、一側側方の側板部４２（図３において右側）は、短く立設されており、固定ケース２１と組み合わせたときに、長方形状の配線引出開口４４（図１参照）が形成されるようになっている。この配線引出開口４４からは、制御回路基板２２と前記中継端子板５とを接続するための配線が引き出されるようになっている。
　【００１８】
　また、表板部４１には、開口４０の周縁に沿って連結穴４５が穿設されている。この連結穴４５には、後述する透明板４７の連結突起４９が挿入されて溶着されることにより、透明板４７をカバーケース２３に堅固に固定するものである。また、左右の側板部４２には、熱逃し穴４６が形成されている。
　【００１９】
　更に、表板部４１に開設された開口４０の内側には、合成樹脂製の透明板４７が開口４０を閉塞するように設けられている。この透明板４７は、その上下部に熱逃し穴４８が形成されていると共に、その周縁に連結突起４９が突設されている。連結突起４９は、前記連結穴４５に挿入された後、連結穴４５から突出した部分を溶着して透明板４７を抜け落ちないようにするものである。そして、この透明板４７を開口４０の内側から設ける理由は、透明板３２を開口２４の内側から設けた前記理由と同じである。
　【００２０】
　以上、実施形態に係る収納ケース２０の構成について説明してきたが、この収納ケース２０においては、制御回路基板２２の電子部品３７が実装される部品面３６とその反対側のハンダ面３８に対面する収納ケース２０の表板部４１と底板部２５とに、制御回路基板２２のほぼ全域を透視し得る大きさの開口４０、２４を開設すると共に、該開口４０、２４を透明板４７、３２で閉塞しているので、透明板４７、３２を介して制御回路基板２２の部品面３６とハンダ面３８とを見ることができ、このため、部品面３６に実装される電子部品３７が規定されたものと異なるか否かを容易に発見でき、また、ハンダ面３８に
ジャンパー線
ジャンパー線
　【００２１】
　【発明の効果】
　以上、説明したところから明らかなように、本発明においては、制御回路基板のハンダ面
ほぼ全域
に備えられかつ前記ハンダ面に対向する位置に配置された
ジャンパー線
【図面の簡単な説明】
　【図１】
　実施形態に係る収納ケースを垂直方向に切断した断面図である。
　【図２】
　収納ケースを水平方向に切断した断面図である。
　【図３】
　収納ケースの分解斜視図である。
　【図４】
　収納ケースの取り付け状態を示す分解斜視図である。
　【図５】
　収納ケースを遊技機の遊技盤の背面に取り付けた状態を示す背面図である。
　【符号の説明】
　２０　収納ケース
　２２　制御回路基板
　２４　開口
　２５　底板部
　２９　切欠開口
　３２　透明板
　３５　導電性板部材
　３６　部品面
　３７　電子部品
　３８　ハンダ面
　４０　開口
　４１　表板部
　４７　透明板
　５０　背面空間